(57)【要約】      （修正有）【課題】コンパクトで携帯性に優れると共に、使用者の顔方向へ風を送ることが容易で且つ使用者の上着の胸ポケットに取り付けることが容易な携帯型扇風機を提供する。【解決手段】回転羽根から発生する風を外部に吹き出す送風部２を有する携帯型扇風機１０は、送風部２が本体ケース１の上面に形成されていると共に、使用者の被服に取り付け可能な取り付け部材を備え、この取り付け部材は、本体ケース１の裏面に一方の端部が固定されている板状体１１で構成されている。【選択図】図５
0003181412.tif 000002
【実用新案登録請求の範囲】
【請求項１】
本体ケースと、該本体ケースに内蔵された回転羽根と、該回転羽根を回転駆動する電動モーターと、該電動モーターに電力を供給するバッテリーと、前記回転羽根に空気を供給する空気吸込み部と、前記回転羽根から発生する風を外部に吹き出す送風部とを有する携帯型扇風機であって、
該携帯型扇風機は、前記送風部が前記本体ケースの上面に形成されていると共に、使用者の被服に取り付け可能な取り付け部材を備え、該取り付け部材は、前記本体ケースの裏面に一方の端部が固定されている板状体からなることを特徴とする携帯型扇風機。
【請求項２】
板状体の一方の端部が本体ケースの裏面に固定され、板状体の他方の端部に突起状の押さえ部を有することを特徴とする請求項１に記載の携帯型扇風機。
【請求項３】
板状体の突起状の押さえ部に対向する本体ケースの裏面には第１の段差面が形成されており、該第１の段差面を有することによって、板状体と本体ケースの裏面との間に第１の隙間が形成されていることを特徴とする請求項１又は２に記載の携帯型扇風機。
【請求項４】
本体ケースの裏面と板状体との間にスペーサを介在させることによって、本体ケースの裏面の中央部に第２の段差面が形成され、該第２の段差面を有することによって、板状体と本体ケースの裏面との間に第２の隙間が形成されていることを特徴とする請求項３に記載の携帯型旋風機。
【請求項５】
第１の隙間の本体ケースと板状体との間の幅は、第２の隙間の本体ケースと板状体との間の幅よりも大きいことを特徴とする請求項４に記載の携帯型扇風機。
【考案の詳細な説明】
【技術分野】
【０００１】
本考案は、紐で使用者の首に掛けて使用することができ、机の上に置いて使用することもでき、上着の胸ポケットに取り付けることができる小型の携帯型扇風機に関するものである。
【背景技術】
【０００２】
従来から、紐で使用者の首に掛けて使用することができる携帯型送風機は知られている（特許文献１参照）。この携帯型送風機は、環状紐部およびこの環状紐部から下方に向って延びる線状紐部を有する首掛け体と、前記線状紐部に、この線状紐部に沿って移動可能に設けられた送風機本体と、前記線状紐部の上端側に設けられた一方の引掛孔部を有するフック受け体と、前記線状紐部の下端側に設けられ、前記引掛孔部を有するフック受け体と係脱可能に係合して前記送風機本体を上方送風姿勢に保つ、前記引掛孔部に引っ掛けるフック体とを備えるものである。
【０００３】
上述のように、特許文献１に記載の携帯型送風機では、使用者の顔方向に風を送るためには、送風機本体を、上方送風姿勢に保つために、紐とフックとによって、送風機本体の姿勢を変える調整を行う必要があり、この作業は煩わしいものであった。また、上方送風姿勢では、送風機本体の回転羽根の回転軸が、地面に対して垂直な方向となることから、使用者の胸付近で前方に回転羽根を突出させる状態としなければならず、携帯型送風機の使用時に種々の作業を行い易いものではなかった。また、送風口が大きいことから、回転羽根によって発生する風が上方に拡散するので、使用者の顔に風を当てようとする場合には、送風口方向へ大きく首を曲げなければならなかった。
【０００４】
そこで、本出願人は、コンパクトで携帯性に優れると共に、使用者の顔方向へ風を送ることが容易な携帯型扇風機を開発し、同考案に関する実用新案登録を行った（特許文献２）。
【先行技術文献】
【特許文献】
【０００５】
【特許文献１】特開２００６−１４４６２６号公報
【特許文献２】実用新案登録第３１７３０１１号公報
【考案の概要】
【考案が解決しようとする課題】
【０００６】
しかしながら、上記特許文献２に記載の考案は、上着の胸ポケットの中に入れて使用することができるものの、上着の胸ポケットに財布や携帯電話やタバコ等が入れられている場合には、更に携帯型扇風機を入れることは困難であった。
【０００７】
そこで、本考案は、コンパクトで携帯性に優れると共に、使用者の顔方向へ風を送ることが容易で且つ使用者の上着の胸ポケットに取り付けることが容易な携帯型扇風機を提供することを目的とする。
【課題を解決するための手段】
【０００８】
請求項１の考案では、本体ケースと、該本体ケースに内蔵された回転羽根と、該回転羽根を回転駆動する電動モーターと、該電動モーターに電力を供給するバッテリーと、前記回転羽根に空気を供給する空気吸込み部と、前記回転羽根から発生する風を外部に吹き出す送風部とを有する携帯型扇風機であって、該携帯型扇風機は、前記送風部が前記本体ケースの上面に形成されていると共に、使用者の被服に取り付け可能な取り付け部材を備え、該取り付け部材は、前記本体ケースの裏面に一方の端部が固定されている板状体からなることを特徴としている。本体ケースの裏面に板状体からなる取り付け部材を備えていることによって、該板状体のみが上着の胸ポケットに挿入され、本体ケースは、胸ポケットの外側に配置されることとなるので、上着の胸ポケットに財布や携帯電話等が挿入されている状態でも携帯型扇風機を取り付けて使用することができる。
【０００９】
請求項２の考案では、請求項１の考案において、板状体の一方の端部が本体ケースの裏面に固定され、板状体の他方の端部に突起状の押さえ部を有することを特徴としている。突起状の押さえ部によって、上着の胸ポケットに確実に取り付けられるので、胸ポケットから財布や携帯電話等を取り出す時に一緒に携帯型扇風機が胸ポケットから外れるのを防ぐことができる。
【００１０】
請求項３の考案では、請求項１又は２の考案において、板状体の突起状の押さえ部に対向する本体ケースの裏面には第１の段差面が形成されており、該第１の段差面を有することによって、板状体と本体ケースの裏面との間に第１の隙間が形成されていることを特徴としている。第１の隙間が形成されていることによって、板状体の胸ポケットへの挿入が容易となり、携帯型扇風機を簡単に胸ポケットへ装着することができる。
【００１１】
請求項４の考案では、請求項３の考案において、本体ケースの裏面と板状体との間にスペーサを介在させることによって、本体ケースの裏面の中央部に第２の段差面が形成され、該第２の段差面によって、板状体と本体ケースの裏面との間に第２の隙間が形成されていることを特徴としている。第２の隙間が形成されていることによって、板状体を胸ポケットの奥まで挿入することができる。
【００１２】
請求項５の考案では、請求項４の考案において、第１の隙間の本体ケースと板状体との間の幅は、第２の隙間の本体ケースと板状体との間の幅よりも大きいことを特徴としている。したがって、第１の隙間によって、板状体の胸ポケットへの挿入が容易になると共に、第２の隙間によって、胸ポケットの生地が本体ケースと板状体との間に挟みつけられることから、携帯型扇風機を確実に胸ポケットに装着することができる。
【考案の効果】
【００１３】
請求項１の考案では、上着の胸ポケットに財布や携帯電話等が挿入されている状態でも携帯型扇風機を取り付けて使用することができる。また、請求項２の考案では、胸ポケットから財布や携帯電話等を取り出す時に一緒に携帯型扇風機が胸ポケットから外れるのを防ぐことができる。また、請求項３の考案では、第１の隙間が形成されていることによって、板状体の胸ポケットへの挿入が容易となり、携帯型扇風機を簡単に胸ポケットへ装着することができる。また、請求項４の考案では、第２の隙間が形成されていることによって、板状体を胸ポケットの奥まで挿入することができる。さらに、請求項５の考案では、第１の隙間によって、板状体の胸ポケットへの挿入が容易になると共に、第２の隙間によって、胸ポケットの生地が本体ケースと板状体との間に挟みつけられることから、携帯型扇風機を確実に胸ポケットに装着することができる。
【図面の簡単な説明】
【００１４】
【図１】本考案に係る携帯型扇風機の正面図である。
【図２】同背面図である。
【図３】同平面図である。
【図４】同底面図である。
【図５】同右側面図である。
【図６】同左側面図である。
【図７】本考案に係る携帯型扇風機の内部構造を示す断面図である。
【図８】本考案に係る携帯型扇風機を取り付けた状態を示す斜視図である。
【考案を実施するための形態】
【００１５】
次に、本考案の実施形態を図面に基づいて説明する。図１は、本考案に係る携帯型扇風機の正面図であり、図２は、背面図である。また、図３は、本考案に係る携帯型扇風機の平面図であり、図４は、底面図である。さらに、図５は、本考案に係る携帯型扇風機の右側面図であり、図６は、左側面図である。
【００１６】
図１〜図６に示すように、本考案に係る携帯型扇風機１０は、本体ケース１の表面に複数の孔によって構成された空気吸込み部６が形成されている。この空気吸込み部６の複数の孔は、本体ケース１の内部に内蔵されている回転羽根と連通しており、この回転羽根に空気を供給するために形成されている。尚、回転羽根は電動モーターによって回転駆動するものであって、電動モーターは、バッテリーから電力が供給されている。この電動モーターとバッテリーは、後述するように、本体ケース１の内部に内蔵されている。
【００１７】
また、回転羽根から風を外部に吹き出す送風部２が本体ケース１の上面に形成されている。この送風部２は、複数の仕切り板３ａ，３ｂ，３ｃ・・・によって、複数の送風口４ａ，４ｂ，４ｃ・・・が形成されている。また、本体ケース１の左側面には、スイッチ５が設けられていて、スイッチ５をＯＮにすると、複数の送風口４ａ，４ｂ，４ｃ・・・から風が外部に吹き出される。また、スイッチ５をＯＦＦにすると、複数の送風口４ａ，４ｂ，４ｃ・・・からの風の供給が止まる構造となっている。さらに、本体ケース１の右側面には、バッテリーとなる乾電池を収容するバッテリー収容部１８が設けられている。また、本体ケース１の左側面の上部には、紐やストラップ等を結びつけることができる孔１２が形成されている。
【００１８】
そして、本体ケース１の裏面には、使用者の被服に取り付け可能な取り付け部材である板状体１１が本体ケース１の裏面全体を覆うようにして設置されており、板状体１１の一方の端部が固定部材１１ａによって本体ケース１に固定されている。この板状体１１の他方の端部には、突起状の押さえ部１１ｂが形成されている。この押さえ部１１ｂによって、上着の胸ポケットに確実に取り付けられるので、胸ポケットから財布や携帯電話等を取り出す時に一緒に携帯型扇風機が胸ポケットから外れるのを防ぐことができる。
【００１９】
また、板状体１１の突起状の押さえ部１１ｂに対向する本体ケースの裏面には第１の段差面１３が形成されており、この第１の段差面１３によって、板状体と本体ケースの裏面との間に第１の隙間１４が形成されている。この第１の隙間１４が形成されていることによって、板状体１１の胸ポケットへの挿入が容易となり、携帯型扇風機１０を簡単に胸ポケットへ装着することができる。
【００２０】
さらに、本体ケース１の裏面と板状体１１との間にスペーサ１５を介在させることによって、本体ケース１の裏面の中央部に第２の段差面１６が形成され、この第２の段差面１６によって、板状体１１と本体ケース１の裏面との間に第２の隙間１７が形成されている。この第２の隙間１７が形成されていることによって、板状体１１を胸ポケットの奥まで挿入することができる。尚、スペーサ１５は、板状体１１と別部材によって形成してもよいが、板状体１１の上部に一体的に形成されているものであってもよい。また、本体ケース１の裏面の上部に一体的に形成されているものであってもよい。そして、これらの構成は、本願の実用新案登録請求の範囲の請求項４に記載のスペーサの概念に含まれるものである。
【００２１】
ここで、第１の隙間１４の本体ケース１の裏面と板状体１１との間の幅１４ａは、第２の隙間１７の本体ケース１の裏面と板状体１１との間の幅１７ａよりも大きくなるように形成されている。したがって、第１の隙間１４によって、板状体１１の胸ポケットへの挿入が容易になると共に、第２の隙間１７によって、胸ポケットの生地が本体ケース１と板状体１１との間に挟みつけられることから、携帯型扇風機１０を確実に胸ポケットに装着することができる。
【００２２】
図７は、本考案に係る携帯型扇風機の内部構造を示す断面図である。この図に示すように、携帯型扇風機１０の本体ケース１の内部には、回転羽根７と、この回転羽根７を回転駆動する電動モーター８と、この電動モーター８に電力を供給するバッテリー９とが内蔵されており、空気吸込み部６の複数の孔は、本体ケース１の内部に内蔵されている回転羽根７と連通して、この回転羽根７に空気を供給している。
【００２３】
図８は、本考案に係る携帯型扇風機を使用者の胸ポケットに取り付けた状態を示す斜視図である。この図に示すように、使用者の胸ポケット１９の前面の生地１９ａが本体ケース１の裏面と板状体１１との間に挟まれて固定されているものであり、胸ポケット１９の内部空間には板状体１１が挿入されているだけなので、この内部空間に、財布や携帯電話等を更に挿入することができる。また、本体ケース１の上面に送風部２が形成されているので、この送風部２から使用者の顔近傍に向けて心地良い風を供給することができ、清涼感を感じることができる。
【００２４】
以上述べてきたとおり、本考案に係る携帯型扇風機１０は、本体ケース１の裏面に一方の端部が固定されている板状体１１からなる取り付け部材が形成されていることによって、上着の胸ポケット１９に財布や携帯電話等が挿入されている状態でも携帯型扇風機１０を取り付けて使用することができると共に、板状体１１の胸ポケット１９への挿入は容易であり、携帯型扇風機１０を簡単に胸ポケット１９へ装着することができる。
【産業上の利用可能性】
【００２５】
本考案の携帯型扇風機は、屋内及び屋外において、清涼感を感じるために使用され、上着の胸ポケットに取り付けることができる小型の携帯型扇風機として利用される。
【符号の説明】
【００２６】
１  本体ケース
２  送風部
３ａ、３ｂ、３ｃ  仕切り板
４ａ、４ｂ、４ｃ  送風口
５  スイッチ
６  空気吸込み部
７  回転羽根
８  電動モーター
９  バッテリー
１０  携帯型扇風機
１１  板状体
１１ａ  固定部材
１１ｂ  押さえ部
１２  孔
１３  第１の段差面
１４  第１の隙間
１５  スペーサ
１６  第２の段差面
１７  第２の隙間
１８  バッテリー収容部
１９  胸ポケット
【図１】
0003181412.tif 000003
【図２】
0003181412.tif 000004
【図３】
0003181412.tif 000005
【図４】
0003181412.tif 000006
【図５】
0003181412.tif 000007
【図６】
0003181412.tif 000008
【図７】
0003181412.tif 000009
【図８】
0003181412.tif 000010